(57)【要約】【課題】吸込具内の回転ブラシにキッチンペーパーなどのシートを容易に装着可能とすることにより、フローリング床面などの拭き掃除をも随時行える電気掃除機の床用吸込具を提供する。【解決手段】吸込具１の本体ケース２内に設けた回転ブラシ３に、キッチンペーパーなどのシート１２を回転ブラシの回転により絡み付かせ装着させる。回転ブラシは毛の長さ、硬さの違うブラシ１５，１６，１７を配置したシートが巻き付き易いよう構造のものに、またシートも先に回転ブラシ側のフックなど引掛かる紐など取付部材を設けることで、容易に装着できる。汚れたシートは、本体ケースの前壁を構成する回動可能なカバー５の開放にて前部が開くので、その前口から容易に取り出して交換装着することができる。【選択図】        図２６
2004222739.tif 000002
【特許請求の範囲】
【請求項１】
横手方向に細長な下面開口部を有する吸込具の本体ケース内部に、前記下面開口部に臨ませて回転ブラシを収納した構造の床用吸込具において、
前記回転ブラシを、塵埃の吸着用シートが自動的に巻き付け可能な構造としたことを特徴とする床用吸込具。
【請求項２】
前記回転ブラシは、周面に軸方向に螺旋状に毛の長さ、硬さが違うブラシ体を複数本配設したことを特徴とする請求項１に記載の床用吸込具。
【請求項３】
前記ブラシ体のうちの１つは、外側に配設した一対の長くて軟らかい毛ブラシとその内側に配設した短くて硬い毛ブラシとより成ることを特徴とする請求項２に記載した床用吸込具。
【請求項４】
前記回転ブラシは、芯体の周面に軸方向に設けた螺旋状の溝に取り付けられた複数本の配置されたブラシ体と、ブラシ体とブラシ体との空間域を埋めるようにかつブラシ体の根元部に近接するように前記芯体の外周部に突出形成された複数個のリブとを備える構成としたことを特徴とする請求項１に記載の床用吸込具。
【請求項５】
前記本体ケースの前壁を上下方向に開閉回動自在なカバーにて構成し、カバーの開放時に吸着用シートの取り出しを容易とするよう前記吸込口の前側部分に前記下面開口部と連通する開口が現れるような構成としたことを特徴とする請求項１記載の床用吸込み具。
【請求項６】
前記カバーの前端部には吸込具と壁面との当接時バンパーとして働くローラーを設け、該ローラーとカバー上面との間の隙間から前記吸着用シートを上方から挿入し、前記ローラーにより送られるように構成したことを特徴とする請求項５に記載の床用吸込具。
【請求項７】
前記ローラーの外周面には、前記吸着用シートとの接触抵抗を高める起毛布等の抵抗部材を備えることを特徴とする請求項６に記載の床用吸込具。
【請求項８】
前記カバーを、前記吸着用シートの巻き付け状態を確認可能に透明材料にて形成したもの又は覗き窓部を設けるものとしたことを特徴とする請求項１ないし７のいずれかに記載の床用吸込具。
【請求項９】
横手方向に細長な下面開口部を有する吸込具の本体ケース内部に、前記下面開口部に臨ませて回転ブラシを収納した構造の床用吸込具内の前記回転ブラシに巻き付け可能とさせるための係止手段を前端部に形成したことを特徴とする塵埃の吸着用シート。
【請求項１０】
前記吸着用シートは、その後方形状を斜めに切断した形状となしたことを特徴とする請求項１ないし９のいずれかに記載の塵埃の吸着用シート。
【請求項１１】
前記吸着用シートは、その後方形状をＶ字状に切り込みを入れたことを特徴とする請求項１ないし９のいずれかに記載の塵埃の吸着用シート。
【請求項１２】
前記吸着用シートには、その前方端部に回転ブラシに引掛る紐を設けたことを特徴とする請求項１ないし１１のいずれかに記載の塵埃の吸着用シート。
【請求項１３】
前記シートには、その前方端部にワイヤー等を縫製して設けた硬質化した端縁部を形成したことを特徴とする請求項１ないし１２のいずれかに記載の塵埃の吸着用シート。
【請求項１４】
前記吸着用シートには、その前方端部両脇に紐を設ける一方、前記回転ブラシには前記紐の引っ掛部を設けたことを特徴とする請求項１ないし８のいずれかに記載の床用吸込具。
【請求項１５】
前記回転ブラシの芯体周面に前記ブラシ体を、その芯体が水平になるように見たときＶ字形状となるように配置されたことを特徴とする請求項１に記載の床用吸込具。
【請求項１６】
前記本体ケースの上部内面に、前記吸着用シートを前記回転ブラシに巻き付ける際に前記吸着用シートに摺接して前記回転ブラシ軸方向に引き伸ばす力を作用する軸方向に開いたＶ字状のガイドリブを形成したことを特徴とする請求項１に記載の床用吸込具。
【発明の詳細な説明】
【０００１】
【発明の属する技術分野】
本発明は電気掃除機の床用吸込具に係わり、特に塵埃を吸い込みによる清掃だけでなく床面を拭き取って掃除し、清掃が効率良くできる床用吸込具に関する。
【０００２】
【従来の技術】
従来、電気掃除機の床用吸込具に、毛のブラシ又はゴム製のブレードが設けられた回転ブラシを備えさせ、該回転ブラシが掃除機がけの時に回転駆動して床面の塵埃を掻き取り、掻き取った塵埃を吸引することで効率的に掃除ができるようになされている。
【０００３】
こうした回転ブラシで塵埃を掻き取った後で、塵埃を吸い込んで掃除する仕方は、特に畳、絨毯などに対してはその清掃効果は良く、塵埃等は効率よく除去されるので有効である。
【０００４】
しかし例えばフローリングされた床面に付着している塵埃や汚れなどは、こうした吸い込みによる掃除では十分に取り除けず、このようなゴミに対しては雑巾で拭うような拭き掃除による方が綺麗に掃除できる点で優っている。特に近年の住宅では畳、絨毯の間に対し床面（フローリング）の居室が増えており、この点からも拭き取りによる清掃も有用である。
【０００５】
そこで、従来電機掃除機の床用吸込具として、木床、畳の掃除を吸い込みと拭きを同時に行えるような機能を持たせるべく、回転ブラシにゴミが付着し易いパイル状部材などの布部材を螺旋状に貼着させたもの（例えば、特許文献１）、あるいは回転ブラシのブレード部の先端に同様な布部材を設けた構成のもの（例えば、特許文献２）が提案され、こうした手法で掃除する技術が知られている。
【０００６】
【特許文献１】
特開平５−１９２２７１号公報
【特許文献２】
特開平１１−５６７０７号公報
【０００７】
【発明が解決しようとする課題】
しかしながら、上記特許文献１に開示されたものは、布部材が回転ブラシに貼り付けて設けてあるので、布部材はゴミ処理時に回転ブラシから取り外すには、剥がさねばならずその取り外し作業が面倒であった。また交換装着するときもいちいち吸込具を裏返し、狭いケース内空間で回転ブラシに布部材を巻き付ける作業が要り、しかも粘着性のある布部材を吸込具本体ケースなど回転ブラシ以外の箇所に貼り付かないよう注意しながら慎重に装着しなければならないといった困難さがあった。
【０００８】
また上記特許文献２に開示されたものは、回転ブラシのブレード部の先に、別途布ブレード部を形成したものであるため、複雑な構造の回転ブラシとなってしまい、また布ブレードが消耗し交換するときも回転ブラシ全体を交換する必要があるなどコスト的な面、および回転ブラシ自体の面倒な再装着など実用性の面でも十分とは言い難いものであった。
【０００９】
本発明は上記点に鑑みなされたもので、回転ブラシの回転により塵埃付着性のシートを回転ブラシに自動的に巻き付かせて装着が行え、この装着したシートの回転により発揮される拭き掃除と磨き効果により、清掃性を一層向上することができると共に、シートの取り外しも巻き戻すように操作させることで頗る簡単に行うことができる床用吸込具および回転ブラシに装着する塵埃吸着用シートを提供するものである。
【００１０】
【課題を解決するための手段】
上記の目的を達成するために、本発明は横手方向に細長な下面開口部を有する吸込具の本体ケース内部に、前記下面開口部に臨ませて回転ブラシを収納した構造の床用吸込具において、前記回転ブラシを、塵埃の吸着用シートが自動的に巻き付け可能な構造としたものである。
【００１１】
また、前記回転ブラシは、周面に軸方向に螺旋状に毛の長さ、硬さが違うブラシ体を複数本配設したものである。
【００１２】
また、前記ブラシ体のうちの１つは、外側に配設した一対の長くて軟らかい毛ブラシとその内側に配設した短くて硬い毛ブラシとより成るものである。
【００１３】
また、前記回転ブラシは、芯体の周面に軸方向に設けた螺旋状の溝に取り付けられた複数本の配置されたブラシ体と、ブラシ体とブラシ体との空間域を埋めるようにかつブラシ体の根元部に近接するように前記芯体の外周部に突出形成された複数個のリブとを備える構成としたものである。
【００１４】
また、前記本体ケースの前壁を上下方向に開閉回動自在なカバーにて構成し、カバーの開放時に吸着用シートの取り出しを容易とするよう前記吸込口の前側部分に前記下面開口部と連通する開口が現れるような構成としたものである。
【００１５】
また、前記カバーの前端部には吸込具と壁面との当接時バンパーとして働くローラーを設け、該ローラーとカバー上面との間の隙間から前記吸着用シートを上方から挿入し、前記ローラーにより送られるように構成したものである。
【００１６】
また、前記ローラーの外周面には、前記吸着用シートとの接触抵抗を高める起毛布等の抵抗部材を備えるものである。
【００１７】
また、前記カバーを、前記吸着用シートの巻き付け状態を確認可能に透明材料にて形成したもの又は覗き窓部を設けたものである。
【００１８】
また前記塵埃の吸着用のシートは、横手方向に細長な下面開口部を有する吸込具の本体ケース内部に、前記下面開口部に臨ませて回転ブラシを収納した構造の床用吸込具内の前記回転ブラシに巻き付け可能とさせるための係止手段を前端部に形成したものである。
【００１９】
前記吸着用シートは、その後方形状を斜めに切断した形状となしたものである。
【００２０】
また、前記吸着用シートは、その後方形状をＶ字状に切り込みを入れたものである。
【００２１】
また、前記吸着用シートには、その前方端部に回転ブラシに引掛る紐を設けたものである。
【００２２】
また、前記シートには、その前方端部にワイヤー等を縫製して設けた硬質化した端縁部を形成したものである。
【００２３】
また、前記シートには、その前方端部両脇に紐を設ける一方、前記回転ブラシには前記紐の引っ掛部を設けたものである。
【００２４】
また、前記回転ブラシの芯体周面に前記ブラシ体を、その芯体が水平になるように見たときＶ字形状となるように配置されたものである。
【００２５】
また、前記本体ケースの上部内面に、前記吸着シートを前記回転ブラシに巻き付ける際に前記吸着シートに摺接して前記回転ブラシ軸方向に引き伸ばす力を作用する軸方向に開いたＶ字状のガイドリブを形成したものである。
【００２６】
【発明の実施の形態】
図１から図１０に示される床用吸込具１は、上ケース２ａと下ケース２ｂから成って下面から前面にかけて広範囲に開口された吸込口６が形成された横長の吸込具本体ケース２と、吸込具本体ケース２内の長手方向両端に軸受部を介して回転自在に支持された回転ブラシ３と、吸込具本体ケース２の後面側に上記吸込口６と連通すると共に上下左右に回動自在に取り付けられたベンド４と、吸込具本体ケース２の前壁を構成すると共に吸込口６の前側部分６ｂを開閉するカバー５とから構成されており、ベンド４が図示しない延長管やホースを介して掃除機本体に接続されるようになっている。
【００２７】
上記回転ブラシ３には、図５および図６に示すように、その芯体７の外周面にブラシ体（またはブレード体）８が等分な角度、例えば９０゜あるいは６０゜間隔で長手方向に複数本、螺旋状に形成されている。ブラシ体８の具体的な設け方は、その根本部８ｂを芯体７の外周面に形成した螺旋状の溝に嵌め込むことで取付けることができる。またブラシ体８は、図示はしないが、吸込具本体ケース２に内蔵された電動モータによりその駆動力が伝導ベルトなどを介して伝達され回転駆動されるように構成されている。このブラシ体８が回転することで、床面の塵埃が掻き取られ、吸込口６から効果的に吸い込まれ効率よく掃除される。
【００２８】
上記ブラシ体８に近接してその前方部分を覆うように位置する上記カバー５は、その長手方向の両端側に図示しないがアーム部が一体形成され、このアーム部によって本体ケースの両端部内側に回動自在に軸支されている。また上記カバー５には、吸込具前端が壁際などの掃除の際に壁面に当たったときに、回転してカバー５を上方向に回動させ吸込口５の前方部分を開放させるように作動するローラ９が、その両端部を軸受部９ａ、９ａにて回動自在に装着されている。ここで、カバー５の回動軸とローラ９との位置関係は、カバー５の最前部にあるローラ９が壁面などに押し当てられたときにローラ９が反時計廻りに回転しながらカバー５が上方に回動するように、ローラ９がカバー５の回動中心である回動軸よりも上に位置するように設定されおり、これによりカバー５の開放動作を果たしている。
【００２９】
また上記カバー５は、図示しないがその回動軸に、カバー５を下方へ回動する方向へ付勢する付勢手段として捻りバネ（図示せず）が装着された構成となっている。したがって、吸込具前端が壁際など壁面に当たらない通常の床面掃除の時には、カバー５は吸込口６の前方部分を閉鎖し、下方部分のみが開口している。またカバー５が開くときは、図９に示すよう、吸込具本体ケース２の内側に収納される構成となるように、上ケース２ａ部分にはカバー５を後端部から仕舞い込めるように形成した空洞状の収納凹部１０が設けられている。
【００３０】
なお、上記ローラ９は、掃除機がけ時に、吸込具本体ケース２の前面側が障害物に当たった場合のショック吸収というバンパーの役割をも果たすものであるので、図１０に示すように回動軸１１を有する円筒胴部１１Ａの外周面が、柔らかくて滑りやすい当接部材として、繊維質部材である起毛布１１ｄによって覆われて形成されたものが好ましく、これであれば壁面や家具などの傷付きを確実に防止できるようになると共に、極めてスムーズにカバー５を回動させることができる。また起毛布１１ｄによりローラ９が壁面に当接した状態で横方向に掃除する場合の左右の動きもスムーズになるという点で有用となる。
【００３１】
さてここで上記吸込具１における回転ブラシ３は、雑巾などで拭き掃除するのと同様の掃除の仕方も可能とするよう、図７に示すごとく、布や紙、例えばキッチンペーパーなどの塵埃を吸着し得る吸着シート１２（以下、シートと略記する）を自動的に巻き付け装着することが可能な構造のものとした。
【００３２】
次にこのシート１２装着のための具体的な構成について、更に図１１から図３０を参照して説明する。先ずシート装着の手順は、図７、図１４等に示すように、吸込具１の手前に長方形状のシート１２を置き、このシート１２の端部の上に回転ブラシ３を一様に乗せる。この状態で掃除機の運転スイッチを入れて回転ブラシ３を回転させれば、回転するブラシ３によってシート１２は、回転ブラシ３に自動的に絡み付き装着される。なお、このシート装着時、回転ブラシ３は通常の掃除機がけ時の回転より低速回転するよう運転制御され、シート１２が勢いよく巻き付いて破損することを防止するようにしている。
【００３３】
ここで回転ブラシ３は、シート１２が巻き付き易いような構造のものとした。従来の図２２に示すような、芯体７の外周に単に同一長さのブラシ体１３ｂが一定間隔（この場合９０゜）で設けられた一般的な構造の回転ブラシ１４では、ブラシ体１３ｂのある部分と無い部分とで段差Ｄがあり、シート１２が均一に巻き付きにくかった。また巻き付いても図２３に示すように、シート１２の巻き付けによりブラシ体１３ｂが根本部１３ｄから倒され、シート１２を除去した後もその変形したままとなり、ブラシ体１３ｂによる塵埃掻き取り効果が悪くなるという不具合があった。
【００３４】
そこで、本発明ではブラシ体の長さ、質（硬軟）、配置を勘案しまた段差を無くす手段を図るなどして、巻き付き易い構造の回転ブラシを実現した。図２４から図２６に示す回転ブラシ３Ａは、長くて軟らかい２本の毛ブラシ１５ａを外側に、短くて硬い２本の毛ブラシ１５ｂを内側に配置した第１のブラシ体１５と、一番長い毛ブラシ１６ａを植設した第２ブラシ体１６と、二番目の長さの毛ブラシ１７ａを植設した第３ブラシ体１７の３種類のブラシ体からなる回転ブラシ３Ａで、その第１ブラシ体１５は、芯体７の外周面に１２０゜間隔で３列軸方向に沿って螺旋状に配置され、第２ブラシ体１６と第３ブラシ体１７は、上記第１ブラシ体１５を挟むようその間に配列されている。
【００３５】
図２６はこの回転ブラシ３Ａによりシート１２が巻き付く様相を示すもので、シート１２の先端（前端）が回転ブラシ３Ａと接触すると、ブラシ３Ａの回転に伴いシート１２は引き込まれながらブラシ体１５〜１７の周りに絡み付いていく。シート１２が絡み付くとき、３種類あるブラシ体１５〜１７は、図２５に示すようにそれぞれがその毛の硬さ（軟さ）に応じた変形（曲がり方）をし、その毛先がシート１２内面に無理なく接触し、シート１２をいびつにならない丸い形を維持するようになる。これによってシート１２は丸く張った状態で巻き付けられる。また、第１ブラシ体１５においては、外側の長い毛ブラシ１５ａは直立状態が保たれその毛先がシート１２の内面に直角に突き当たるようになる。第１ブラシ体１１５はこの場合１２０度間隔で３個配設されているので、このような全体的にシート１２の内側を３個のブラシ体１５が均等に３点支持している状況は、シート１２に張りを保たせ均一に巻き付けることに役立つ。また第１ブラシ体１５における短いブラシ体１５ｂは、シート１２との絡み付きに係わらないので、従来のようなブラシ体３ｂのような根元が折れ曲がってしまうという不具合も生じない。
【００３６】
また先の第２、第３のブラシ体１６，１７が曲がる場合も、互いの両隣に上記第１から第３のいずれかの種類のブラシ体が間隔を大きく空けず（間隔を埋めるよう）に存在するので、それぞれのブラシ体１５〜１７はシート１２からの応力を分散して受け適度に曲がり、従来のようなブラシ体１３ｂの根元が極度に曲がるよう極端な変形をしなくなるので、ブラシ体１５〜１７が極度に曲がって磨き効果が失なわれることも無くなる。また芯体７の周囲に、３種類のブラシ体１５〜１７を合計７個と数多く均等的に配置し、ブラシ体とブラシ体との間の段差Ｄを無くした回転ブラシ３Ａとしたことで、シート１２の張りを保った巻き付けも可能になる。
【００３７】
図２７に示す回転ブラシ３Ｂも、シート巻き付けを可能にする別の実施態様のものである。この場合は、回転ブラシ３Ｂの芯体７にリブ１８、１８を設けるようにした。リブ１８、１８は、外向きハの字状に開いた二股状の形状物で、ブラシ体１９とブラシ体１９の間に存在するよう芯体７の外周部に一体的に突出形成されている。なお、リブ１８、１８は芯体７と同心円的に形成され、かつその長さはブラシ体１９より短い長さに設定されている。このようにブラシ体１９間の空間２０を埋めるようにリブ１８、１８がある回転ブラシ３Ｂであれば、リブ１８、１８は従来の回転ブラシ１４のように、シート１２の巻き付きを阻害するブラシ体のある部分と無い部分にて生まれる段差を無くすものとなるので、シート１２を均一に巻き付けられるようになる。
【００３８】
ところで、シート１２を回転ブラシ３に装着する方法として、図８に示すような構成とすることも可能である。
【００３９】
すなわちこの構成は、吸込具１のケース１前面と該ケース１に設けられたローラー９との間の隙間２２からシート１２を挿入させ、挿入したシート１２を回転するブラシ３により巻き取るようにしたものである。この場合、シート１２はその横幅に余り合うほどに横方向に長いローラ９によって、シート１２の前方縁全体が平均的に押さえ付けられ、また左右がローラ９によりーガイドされるようになり、こうしてローラー９が回転することによりシート１２の全面が均一に張った状態で送られるので、回転ブラシ３に均一に巻き付けさせることができる。このため、先に説明したシート１２を吸込口６内の回転ブラシ３に吸込具１の手前下から挿入する場合に、ときに起きていたシート１２と回転ブラシ３とのセット時の位置ずれにて、シート１２が斜めに取り付き状態となってしまい、これにて拭き効果が十分に得られなくなるという問題や、シート１２の前方縁がくしゃにくしゃになって巻き始められシート１２の破損、不均一な装着になる不具合、またシート１２の巻き終わり端が垂れ床面に当たり合って騒音発生のの原因となったりする等の不具合を、ローラー１２のガイド作用で無くせるという点で有利である。
【００４０】
上記ローラー９を利用したシート１２の案内送りをさせる場合に、ローラ９に図８のように、起毛布２３を装着する構成とすると良い。これは、ローラ９が樹脂など抵抗の少ないローラであると、ローラ９がシート１２をガイドする際に滑ってしまい、目的とする均一な巻き付け効果が得られにくいことがあるので、ローラ９の外周面に起毛布２３を装着したり、植毛する。こうしてローラ９の外周部が起毛布２３など抵抗のある部材で形成されていれば、ローラ９とシート１２との接触抵抗が強まり、シート全面が均一に張ってより確実にかつ円滑に送ることができようになり、さらに平均的にシート１２を吸気口６内の回転ブラシ３に巻き付けることができるという点で、この構成はシート巻き付けのための手段として有効である。
【００４１】
こうして図７等に示すように、シート１２を上記構造の回転ブラシ３に巻き付けた後、回転させることにより、床面の汚れや塵埃はシート１２で確実に拭き取られる。また磨き効果も加わって床面を綺麗に清掃することができる。
【００４２】
一方、拭き掃除を終了し汚れたシート１２を捨てる時、また新らしいシート１２を交換装着するときは、シート１２を取り外す必要がある。シート１２を取り外すときは、図９に示すように、吸込口６内の回転ブラシ３に巻き付いているシート１２の巻き終わり側のフリー端１２ｄを、指で摘んで手前に引き、手で取り外すことができる。あるいはまた回転ブラシ３を回転させることにより、図１３に示すように、シートの先端部がカバー５の先端５ｄに当たって引き剥がされ、自然に回転ブラシ３からシート１２は捲き解かれようにして取り外せる。
【００４３】
ここでシート１２の取り外しに際し、上記したように、カバー５が上下に開閉し吸込具本体ケース２の前壁を形成している構成としたことにより、シート１２が取り出し易くなっている。すなわち、通常はカバー５はスプリング等により閉じているが、図９に示すように、カバー５が手操作で本体ケース内部へ収納する如く上方へ動かしシャッターのように開放すると、吸込口６はカバー開放操作以前の下だけを向き取り出しにくい状況の小さい開口から前方も開いた大きな開口に変わる。このため、前側部分の開口６ｂからシート１２に手を触れやくなり、シート１２を摘んで容易に取り出すことができる。
【００４４】
またシート１２を回転ブラシ３に巻き付けた場合、巻き付き状態が簡単に確認できるようであると便利である。図１１および図１２はその巻き付け状態を確認するのに適切な構造を示している。図１１の場合は、吸込具本体ケース２の前面部を透明部１２Ａとするように透明部材にて形成したものであり、図１２では、吸込具本体ケース２の前面部２Ａの一部に覗き穴２４、この場合は左右に一対の覗き穴２４，２４を設けるようにした。ここで、覗き穴２４は塵埃が侵入しないよう透明部材で覆った透明窓とすると良い。これらの構成によって、きちんとシート１２が巻き付いたかどうか分かるので、巻き付けが悪い場合には、巻き付け直して正常に装着して、所期の拭き取り効果を得られるよう直ぐに対処できる。
【００４５】
図１５および図１６は、回転ブラシ１２に巻き付いたシート１２の端があばれ、床面に当たって生じてていた騒音を抑制するのに効果的な形状としたシートを示すものである。図１５ではシート１２の後端を斜めにカットし三角形状にしたものであり、図１６ではシート１２の後端をＭ字形状にカットしたものである。
【００４６】
シートとして一般的な長方形状のシートを巻き付けて運転した場合、シートの後方部（巻き終わりの端部）があばれたり、吸込口にシート端部が吸いこまれることにより、異音が発生する。これに対し、上記シート１２のように先を三角形状若しくはＭ字形状とすると、シート端片部１２ｂ、１２ｃ，１２ｃは、床面やケース（吸込具本体ケース）と当たり面積が小さい先部分となり、従来の長方形状シートのように端部で床面を叩く現象は無くなるので、異常音の発生が抑えられる。またシート端部のあばれ（はためき）も防止することができる。
【００４７】
図１７から図１９は、さらにシート１２を確実に回転ブラシ３へ巻き付け装着することを可能とする他の実施形態に係る構成を示すものである。シート１２の先が単に回転ブラシ３に引っ掛けられて巻き付くものの場合、シート前端縁がくしゃくしゃになって引き込まれ、均一な巻き付けにならないこともある。
【００４８】
これに対処するべく、図１７では、シート１２の前端部（巻き始め端）に、ひも２５を縫製や接着にて設けるようにした。この場合、ひも２５が図１８に示すように、回転ブラシ３の任意のブラシ体８に絡みつくことにより、まず前端部から順にシート１２を確実に巻き付けることができる。
【００４９】
図１９の場合は、シート１２にワイヤー２６など硬い材質を縫い付け、先（巻き始め端）を硬い構造、すなわち硬質化した端縁部２７に形成する。この構成により、シート装着時には、このワイヤー２６などによりシート前方端部がピンと張ることで、前端部がくしゃくしゃにならず、回転ブラシ３に均一な状態に装着することができる。これにより安定した巻き付けが行える。
【００５０】
さらに図２０の場合は、シート１２の前端部の両脇に紐２８の輪を設ける。一方、回転ブラシ１２の方に紐２８の輪が引っ掛かるフック２９を芯体７に形成する。この構成により、図２１に示すように、フック２９に紐２８の輪が引っ掛かることで、前端部から順に均一に装着することができる。これにより同様に安定した巻き付けが行える。このほか、取り外しできるテープを利用してシート１２の端を回転ブラシ３の芯体に止めることも可能である。
【００５１】
このようにシート１２の先に係止手段を設ける構成により、シート１２の前方縁がくしゃくしゃにならないで、均一かつ安定した状態で回転ブラシ３に巻き付けることができる。
【００５２】
ところで上記したように、シート１２の形状を変えたり、回転ブラシ３への取り付け手段を設けたりして、シート１２が巻き付け易くなるが、回転ブラシ３のブラシ体（ブレード）８が図５、図２０に示すごとくのような一方向の螺旋形状のものの場合、シート１２を巻き付ける際あるいは巻き付け後運転を続けるに従って、シート１２が片側に偏ってしまい、拭き効果及び床磨き効果が低下する場合がある。
【００５３】
この点に対処すべく、芯体７の周面にブラシ体（ブレード）８を設けるに当たって、図２８に示すように、芯体７を水平に見たときにブラシ体（ブレード）８がＶ字状になるような配置形態のものとすると良い。即ち、ブラシ体（ブレード）８を軸長手方向中央部に向かって一方向斜めに芯体７に巻き付けた形状とし、中央部から折り返して逆方向斜めに芯体７に巻き付けた形状に配置すると良い。
【００５４】
この構成によりブラシ体８の表面に接して巻き付いているシート１２には、回転ブラシ３の回転により、Ｖ字型配置のブラシ体８から接触抵抗を受けるが、その抵抗分力としてシート１２を互いに引き伸ばす方向の力が左右に発生する。これによって、シート１２が一方へずれ動き偏り出すような不具合は防止される。よって、回転中もシート１２は正規の位置に巻き付き維持され、拭き掃除および磨き効果を十二分に得ることができる。
【００５５】
図２９は本体ケース２側に同様なシート引き伸ばし作用を及ぼすガイドリブ３０を設けた構成を示すものである。この場合は、本体ケース２（上ケース２ａ）の内部壁面２Ｄには、ブラシの上方部位を囲むごとくその回転軌跡に沿う形状のガイドリブ３０が形設されている。そして、このガイドリブ３０は、回転ブラシ３の軸長手方向中央部から両側方向に開くようなＶ字形状に配置形成されている。またガイドリブ３０はその先が回転ブラシ３に巻き付いたシート１２に当たり合うほど突出するよう長さに設定されて形成されている。こうした形態で設けたガイドリブ３０によりシート１２が案内され、かつシート１２と当たる合うときに発生する接触抵抗にて、シート１２を引き伸ばす方向に作用する分力が生まれる。この結果、回転するシート１２の巻き付け時は勿論のこと、巻き付け後もシート１２はピンとした張り状態を保たれると同時に、芯体７上を横ずれするようなことはなくなり、正規の位置に巻き付け保持される。このため、先のブラシ体８をＶ字型に配置したときと同様の拭き掃除および磨き効果を得ることができる。
【００５６】
以上のように構成された本実施形態の床用吸込具１は、畳や絨毯などの掃除では、シート１２を装着しないで掃除機がけして、回転ブラシ３で塵埃を掻き取り吸込口より吸い込んで掃除する。一方フローリングなど床面の掃除のときに、シート１２を回転ブラシ３に巻き付け、ブラシと一体に回転するシート１２により、床面が拭き掃除されると共に、床磨き効果もなされるので、効果的に掃除できる。
【００５７】
【発明の効果】
以上のように本発明によれば、吸込具内部に下面の吸込口に臨むように収納し回転駆動される回転ブラシが、その回転に伴い、塵埃付着性質の吸着シートを自動的に巻き付け可能とする構造に形成されているため、シートの装着を容易に行うことができ、床面の拭き掃除に直ぐに対応することができる。
【００５８】
またシートの巻き付けは、回転ブラシの芯体に毛の長さ、硬さが違う毛ブラシおよび混合した毛ブラシを周囲に均等に配置し、これらがシートと順応して曲がる構成としたので、シートは、いびつにならない丸く均一に張った状態で装着することができ、拭き効果、磨き効果を十分に発揮させることができる。また周囲均等に毛ブラシを配置したことにより、シートに沿うよう曲げられるブラシの根元が、疎らな配置本数のブラシの時のような極度に根元に曲がることないので、ブラシ本来の塵埃掻き取り性能を維持することができる。
【００５９】
特にブラシ体の１つとして設けた、外側の長く軟らかいブラシと内側の短く硬いブラシを組み合わせたブラシ体により、シートは内側を周囲均等位置で長いブラシ体にて張り支持されるため、より安定した状態で回転ブラシに巻き付け保持することができる。
【００６０】
また、回転ブラシに配置したブラシ体とブラシ体との間にブラシ体の根元部に延びるようにリブを介接し、ブラシ体間の空間を埋める構成とすることによっても、ブラシ体の根元部の変形を防止することができる。
【００６１】
また前記本体ケースの前壁が上下方向に開閉回動自在なカバーにより構成され、吸い込み込口が前方で開放操作できるようにしたから、シートの取り外しが容易に行える。
【００６２】
また、前記カバーの前端部に設けられ掃除の際の壁面との当接を緩衝するローラーとカバー面との間の隙間を利用してシートを挿入して装着できるようにしたので、シートがローラーによりスムーズに案内され、確実に巻き付けられる。またシートの装着作業も容易になる。
【００６３】
また前記ローラーの外周面には、起毛布等の抵抗部材を備えるので、シートとの接触抵抗が増し、滑ったりすることなくシートをより確実に送ることができる。
【００６４】
また前記カバーを透明な材質で形成、あるいは覗き窓を設ける構成としたので、シートの巻き付け状態が確認可能となり、巻き方が正常でない場合に巻き付け直すなど修正作業に直ぐ対応することができる。
【００６５】
またシートとして、その後方形状を三角形状またはＭ字形状となしたシートを使用することにより、巻き付け後あばれるシートの後端は床面との当たり部の少ないものとすることができるので、騒音の発生を抑制できる。
【００６６】
また前記シートの前方端部には、回転ブラシとの係止部材を設ける。例えば紐を装着したり、前端部にワイヤー等を縫製し、硬い端縁部に形成することにより、シートの回転ブラシへの容易な装着が行える共に、シートの先がくしゃくしゃにならないで巻きつ付けることができ、シートの無駄使いが無くなり経済的である。
【００６７】
また同様にシートの前方端部両脇に設けた紐と、前記回転ブラシに設けた前記紐の輪が引掛かる引っ掛部との構成でもっても、シートの先をくしゃくしゃにしないで、均一に巻き付けることができる。
【００６８】
また回転ブラシのブラシ配置を従来の螺旋形状と異なり、芯体を水平になるように見たときにＶ字状となる配置としたので、この配置により巻き付いたシートにはブラシの接触回転に伴うシート引き伸ばし方向の力が作用することとなり、従来の螺旋状配置のブラシ体に巻いたシートが偏る不具合は無くなる。よって回転中もシートを均一な巻き付け状態に維持することができ、所期通りの拭き効果、磨き効果を得ることができる。
【００６９】
さらに前記本体ケース内部に、前記回転ブラシの回転軌跡に沿う形状のガイドリブを設け、このガイドリブを芯体にその軸方向に開くＶ字状に配置することでも、リブがシートとの接触で同様なシート引き伸ばす方向の力を生じるので、上記Ｖ字形状配置のブラシ体と同様に均一なシート装着と、所期通りの拭き効果、磨き効果を得ることができる。
【図面の簡単な説明】
【図１】本発明の一実施形態に係る床用吸込具の上面図。
【図２】同じく、側面図。
【図３】同じく、正面図。
【図４】同じく、上面図。
【図５】同じく、裏面図。
【図６】同じく、中央部の縦断面図。
【図７】同じく、シートの巻き付け時の様相を示した縦断面図。
【図８】シートの取り付けに係る、本発明の他の実施形態に係る床用吸込具の中央部の縦断面図。
【図９】シートの取り外しに係る、本発明の他の実施形態に係る床用吸込具の中央部の縦断面図。
【図１０】上記実施形態で用いられるローラ単体の縦断面図。
【図１１】シートの装着状態を確認可能とするための本発明の他の実施形態に係る床用吸込具の上面図。
【図１２】同じく、シートの装着状態を確認可能とするための本発明の他の実施形態に係る床用吸込具の上面図。
【図１３】シートの取り外し時の様相を示す吸込具の縦断面図。
【図１４】シートの取り付け時の様相を示す縦断面図。
【図１５】騒音の発生抑制に有効な形状のシートの平面図。
【図１６】同じく、騒音の発生抑制に有効な他の実施形態に係る形状のシートの平面図。
【図１７】本発明の他の実施形態に係る巻き付け易い構造のシートの平面図。
【図１８】上記図１７におけるシートの巻き付き状態を示す床用吸込具の縦断面図。
【図１９】同じく本発明の他の実施形態に係る巻き付け易い構造のシートの平面図。
【図２０】同じく本発明の他の実施形態に係る巻き付け易い構造のシートと引掛手段を設けた回転ブラシの平面図。
【図２１】上記図２０におけるシートの巻き付き状態を示す床用吸込具の縦断面図。
【図２２】従来の回転ブラシの配置形態を示す側面図。
【図２３】上記図２２の回転ブラシの不具合を説明するための側面図。
【図２４】本発明の一実施形態に係る回転ブラシの側面図（Ａ図）とそのうちの１つのブラシ体の正面図（Ｂ図）。
【図２５】上記図２４の回転ブラシのシート巻き付け時の様相を示すブラシ体の側面図。
【図２６】同じく、シートを巻き付け時の様相を示す床用吸込具の縦断面図。
【図２７】同じく本発明の他の実施形態に係る回転ブラシの側面図。
【図２８】シートの偏り装着防止機能を有した、本発明の他の実施形態に係る回転ブラシの正面図。
【図２９】同じくシートの偏り装着機能を発揮する、本発明の他の実施形態に係る床用吸込具の裏面図。
【図３０】同じく、本発明の他の実施形態に係る床用吸込具の側面図。
【符号の説明】
１    吸込具本体ケース
３    回転ブラシ
５    カバー
６    吸込口
７    芯体
８    ブラシ体
９    ローラ
１２    塵埃の吸着用シート
１８    リブ
２２    隙間
２３    起毛布
１２Ａ    透明部
２４    覗き穴
１２ｂ，１２ｃ    シート短片部
２５    紐
２６    ワイヤー
２８    紐
２９    フック
３０    ガイドリブ
【図１】
2004222739.tif 000003
【図２】
2004222739.tif 000004
【図３】
2004222739.tif 000005
【図４】
2004222739.tif 000006
【図５】
2004222739.tif 000007
【図６】
2004222739.tif 000008
【図７】
2004222739.tif 000009
【図８】
2004222739.tif 000010
【図９】
2004222739.tif 000011
【図１０】
2004222739.tif 000012
【図１１】
2004222739.tif 000013
【図１２】
2004222739.tif 000014
【図１３】
2004222739.tif 000015
【図１４】
2004222739.tif 000016
【図１５】
2004222739.tif 000017
【図１６】
2004222739.tif 000018
【図１７】
2004222739.tif 000019
【図１８】
2004222739.tif 000020
【図１９】
2004222739.tif 000021
【図２０】
2004222739.tif 000022
【図２１】
2004222739.tif 000023
【図２２】
2004222739.tif 000024
【図２３】
2004222739.tif 000025
【図２４】
2004222739.tif 000026
【図２５】
2004222739.tif 000027
【図２６】
2004222739.tif 000028
【図２７】
2004222739.tif 000029
【図２８】
2004222739.tif 000030
【図２９】
2004222739.tif 000031
【図３０】
2004222739.tif 000032
【手続補正書】
【提出日】平成15年2月28日(2003.2.28)
【手続補正１】
【補正対象書類名】明細書
【補正対象項目名】特許請求の範囲
【補正方法】変更
【補正の内容】
【特許請求の範囲】
【請求項１】
横手方向に細長な下面開口部を有する吸込具の本体ケース内部に、前記下面開口部に臨ませて回転ブラシを収納した構造の床用吸込具において、
前記回転ブラシを、塵埃の吸着用シートが自動的に巻き付け可能な構造としたことを特徴とする床用吸込具。
【請求項２】
前記回転ブラシは、周面に軸方向に螺旋状に毛の長さ、硬さが違うブラシ体を複数本配設したことを特徴とする請求項１に記載の床用吸込具。
【請求項３】
前記ブラシ体のうちの１つは、外側に配設した一対の長くて硬い毛ブラシとその内側に配設した短くて柔らかい毛ブラシとより成ることを特徴とする請求項２に記載した床用吸込具。
【請求項４】
前記回転ブラシは、芯体の周面に軸方向に設けた螺旋状の溝に取り付けられた複数本の配置されたブラシ体と、ブラシ体とブラシ体との空間域を埋めるようにかつブラシ体の根元部に近接するように前記芯体の外周部に突出形成された複数個のリブとを備える構成としたことを特徴とする請求項１に記載の床用吸込具。
【請求項５】
前記本体ケースの前壁を上下方向に開閉回動自在なカバーにて構成し、カバーの開放時に吸着用シートの取り出しを容易とするよう前記吸込口の前側部分に前記下面開口部と連通する開口が現れるような構成としたことを特徴とする請求項１記載の床用吸込み具。
【請求項６】
前記カバーの前端部には吸込具と壁面との当接時バンパーとして働くローラーを設け、該ローラーとカバー上面との間の隙間から前記吸着用シートを上方から挿入し、前記ローラーにより送られるように構成したことを特徴とする請求項５に記載の床用吸込具。
【請求項７】
前記ローラーの外周面には、前記吸着用シートとの接触抵抗を高める起毛布等の抵抗部材を備えることを特徴とする請求項６に記載の床用吸込具。
【請求項８】
前記カバーを、前記吸着用シートの巻き付け状態を確認可能に透明材料にて形成したもの又は覗き窓部を設けるものとしたことを特徴とする請求項１ないし７のいずれかに記載の床用吸込具。
【請求項９】
横手方向に細長な下面開口部を有する吸込具の本体ケース内部に、前記下面開口部に臨ませて回転ブラシを収納した構造の床用吸込具内の前記回転ブラシに巻き付け可能とさせるための係止手段を前端部に形成したことを特徴とする塵埃の吸着用シート。
【請求項１０】
前記吸着用シートは、その後方形状を斜めに切断した形状となしたことを特徴とする請求項１ないし９のいずれかに記載の塵埃の吸着用シート。
【請求項１１】
前記吸着用シートは、その後方形状をＶ字状に切り込みを入れたことを特徴とする請求項１ないし９のいずれかに記載の塵埃の吸着用シート。
【請求項１２】
前記吸着用シートには、その前方端部に回転ブラシに引掛る紐を設けたことを特徴とする請求項１ないし１１のいずれかに記載の塵埃の吸着用シート。
【請求項１３】
前記シートには、その前方端部にワイヤー等を縫製して設けた硬質化した端縁部を形成したことを特徴とする請求項１ないし１２のいずれかに記載の塵埃の吸着用シート。
【請求項１４】
前記吸着用シートには、その前方端部両脇に紐を設ける一方、前記回転ブラシには前記紐の引っ掛部を設けたことを特徴とする請求項１ないし８のいずれかに記載の床用吸込具。
【請求項１５】
前記回転ブラシの芯体周面に前記ブラシ体を、その芯体が水平になるように見たときＶ字形状となるように配置されたことを特徴とする請求項１に記載の床用吸込具。
【請求項１６】
前記本体ケースの上部内面に、前記吸着用シートを前記回転ブラシに巻き付ける際に前記吸着用シートに摺接して前記回転ブラシ軸方向に引き伸ばす力を作用する軸方向に開いたＶ字状のガイドリブを形成したことを特徴とする請求項１に記載の床用吸込具。
【手続補正２】
【補正対象書類名】明細書
【補正対象項目名】００１２
【補正方法】変更
【補正の内容】
【００１２】
また、前記ブラシ体のうちの１つは、外側に配設した一対の長くて硬い毛ブラシとその内側に配設した短くて柔らかい毛ブラシとより成るものである。


【手続補正３】
【補正対象書類名】明細書
【補正対象項目名】００３４
【補正方法】変更
【補正の内容】
【００３４】
そこで、本発明ではブラシ体の長さ、質（硬軟）、配置を勘案しまた段差を無くす手段を図るなどして、巻き付き易い構造の回転ブラシを実現した。図２４から図２６に示す回転ブラシ３Ａは、長くて硬い２本の毛ブラシ１５ａを外側に、短くて柔らかい２本の毛ブラシ１５ｂを内側に配置した第１のブラシ体１５と、一番長い毛ブラシ１６ａを植設した第２ブラシ体１６と、二番目の長さの毛ブラシ１７ａを植設した第３ブラシ体１７の３種類のブラシ体からなる回転ブラシ３Ａで、その第１ブラシ体１５は、芯体７の外周面に１２０゜間隔で３列軸方向に沿って螺旋状に配置され、第２ブラシ体１６と第３ブラシ体１７は、上記第１ブラシ体１５を挟むようその間に配列されている。


【手続補正４】
【補正対象書類名】明細書
【補正対象項目名】００５９
【補正方法】変更
【補正の内容】
【００５９】
特にブラシ体の１つとして設けた、外側の長く硬いブラシと内側の短く柔らかいブラシを組み合わせたブラシ体により、シートは内側を周囲均等位置で長いブラシ体にて張り支持されるため、より安定した状態で回転ブラシに巻き付け保持することができる。